(57)【要約】【課題】  磁力によっステージ上を移動するパチンコ球の移動軌跡を容易に複雑にすることができるパチンコ機を提供すること。【解決手段】  ステージ１０４の下側には平面凸部１１１が設けられるとともに、溝板１１には開口部１２が設けられており、その溝板１１がステージ１０４の下側に取り付けられた際には、永久磁石４３が遊嵌される閉ループ状の溝部５１が形成される。そして、閉ループ状の溝部５１が複雑なものであっても、モータ３１の駆動によるスライダーリンク４１の回転運動の際に、スライダーリンク４１のスライダー溝４２に案内されながら溝部５１を摺動する永久磁石４３の回転角が回転方向に増加し続ける関係にあることから、ステージ１０４下で永久磁石４３が溝部５１を周回移動するので、永久磁力４３によりステージ１０４上を移動するパチンコ球の移動軌跡を容易に複雑にすることができる。【選択図】  図１
2005334493.tif 000002
【特許請求の範囲】
【請求項１】
駆動源と、
前記駆動源で回転するスライダーリンクと、
前記スライダーリンクに貫設された滑動溝と、
前記スライダーリンクの回転運動の際に前記滑動溝が形成する回転領域内に配設された閉ループ状の溝部と、
前記滑動溝に挿通しつつ前記溝部にまで挿入された磁石と、
前記溝部の上方に配設されたステージと、
前記磁石の移動軌跡に沿って前記ステージ上を移動するパチンコ球を前記磁石の移動軌跡から逸らすために前記ステージ上に設けられた剥離部材と、を備え、
前記スライダーリンクの回転運動の際に前記滑動溝に案内されながら前記溝部を摺動する前記磁石の回転角が回転方向に増加し続けることにより、前記磁石が前記溝部を周回移動すること、を特徴とするパチンコ機。
【請求項２】
駆動源と、
前記駆動源で回転するスライダーリンクと、
前記スライダーリンクに貫設された滑動溝と、
前記スライダーリンクの回転運動の際に前記滑動溝が形成する回転領域内に配設された閉ループ状の溝部と、
前記滑動溝に挿通されたホルダーと、
前記ホルダーに固定されるとともに前記溝部にまで挿入された磁石と、
前記溝部の上方に配設されたステージと、
前記磁石の移動軌跡に沿って前記ステージ上を移動するパチンコ球を前記磁石の移動軌跡から逸らすために前記ステージ上に設けられた剥離部材と、を備え、
前記スライダーリンクの回転運動の際に前記滑動溝に前記ホルダーが案内されながら前記溝部を摺動する前記磁石の回転角が回転方向に増加し続けることにより、前記磁石が前記溝部を周回移動すること、を特徴とするパチンコ機。
【請求項３】
請求項１又は請求項２に記載するパチンコ機であって、
前記駆動源の運動エネルギーを前記スライダーリンクに伝達するためのフレキシブルケーブルを備えたこと、を特徴とするパチンコ機。
【発明の詳細な説明】
【技術分野】
【０００１】
本発明は、ステージ上をパチンコ球が磁力によって移動するパチンコ機に関するものである。
【背景技術】
【０００２】
従来のパチンコ機では、例えば、下記特許文献１に記載されているように、遊技盤の中央に配設される中央役物において、傾斜板の下に配置された回転円板に複数の永久磁石を取り付けたものがあり、これにより、傾斜板上に流下したパチンコ球を傾斜板上で移動させることができる。
【特許文献１】特開平２−４９６７６号公報
【発明の開示】
【発明が解決しようとする課題】
【０００３】
この点、回転円板の円運動に伴って、当該回転円板に取り付けられた各永久磁石の移動軌跡は正円であることから、傾斜板上でのパチンコ球の移動軌跡も正円となり、傾斜板上でのパチンコ球の移動軌跡は単調なものになっていた。
【０００４】
そこで、本発明は、上述した点を鑑みてなされたものであり、磁力によっステージ上を移動するパチンコ球の移動軌跡を容易に複雑にすることができるパチンコ機を提供することを課題とする。
【課題を解決するための手段】
【０００５】
この課題を解決するために成された請求項１に係る発明は、駆動源と、前記駆動源で回転するスライダーリンクと、前記スライダーリンクに貫設された滑動溝と、前記スライダーリンクの回転運動の際に前記滑動溝が形成する回転領域内に配設された閉ループ状の溝部と、前記滑動溝に挿通しつつ前記溝部にまで挿入された磁石と、前記溝部の上方に配設されたステージと、前記磁石の移動軌跡に沿って前記ステージ上を移動するパチンコ球を前記磁石の移動軌跡から逸らすために前記ステージ上に設けられた剥離部材と、を備え、前記スライダーリンクの回転運動の際に前記滑動溝に案内されながら前記溝部を摺動する前記磁石の回転角が回転方向に増加し続けることにより、前記磁石が前記溝部を周回移動すること、を特徴としている。
【０００６】
また、請求項２に係る発明は、駆動源と、前記駆動源で回転するスライダーリンクと、前記スライダーリンクに貫設された滑動溝と、前記スライダーリンクの回転運動の際に前記滑動溝が形成する回転領域内に配設された閉ループ状の溝部と、前記滑動溝に挿通されたホルダーと、前記ホルダーに固定されるとともに前記溝部にまで挿入された磁石と、前記溝部の上方に配設されたステージと、前記磁石の移動軌跡に沿って前記ステージ上を移動するパチンコ球を前記磁石の移動軌跡から逸らすために前記ステージ上に設けられた剥離部材と、を備え、前記スライダーリンクの回転運動の際に前記滑動溝に前記ホルダーが案内されながら前記溝部を摺動する前記磁石の回転角が回転方向に増加し続けることにより、前記磁石が前記溝部を周回移動すること、を特徴としている。
【０００７】
また、請求項３に係る発明は、請求項１又は請求項２に記載するパチンコ機であって、前記駆動源の運動エネルギーを前記スライダーリンクに伝達するためのフレキシブルケーブルを備えたこと、を特徴としている。
【発明の効果】
【０００８】
すなわち、本発明のパチンコ機では、閉ループ状の溝部が複雑なものであっても、スライダーリンクの回転運動の際に滑動溝に案内されながら溝部を摺動する磁石の回転角が回転方向に増加し続けるのであれば、ステージ下で磁石が溝部を周回移動するので、磁力によってステージ上を移動するパチンコ球の移動軌跡を容易に複雑にすることができる。
【発明を実施するための最良の形態】
【０００９】
以下、本発明の実施の形態を図面を参照にして説明する。図７は、本実施の形態のパチンコ機で使用される中央役物１０１の三面図（第三角法による正面図・平面図・側面図をあわせて表したもの。以下、同じ。）である。図７に示すように、中央役物１０１には、その正面の中央付近において液晶表示装置１０２が配設されている。
【００１０】
また、中央役物１０１の右端面の中央付近には、パチンコ球が通過することが可能な通過口１０３が形成されている。そして、通過口１０３の下方には、液晶表示装置１０２の下方中央に向かって下りに傾斜したステージ１０４が形成されている。さらに、ステージ１０４の左端側の下方であって、液晶表示装置１０２の下方中央には、パチンコ球が流下し得る中央通路１０５が形成されている。そして、中央通路１０５は、中央役物１０１の正面の中央下部付近において形成されるとともにパチンコ球が通過することが可能な中央出口１０６に連通している。
【００１１】
従って、通過口１０３に進入したパチンコ球は、ステージ１０４上に落下した後、ステージ１０４上を左方向に向かって転動することになる。さらに、ステージ１０４上を転動するパチンコ球は、ステージ１０４の左端から落下すれば、中央通路１０５を流下し、中央出口１０６から放出されることになる。
【００１２】
もっとも、この中央役物１０１においては、ステージ１０４の下で後述する永久磁石が複雑な循環軌跡Ｌに沿って周回しており、ステージ１０４上を左方向に向かって転動するパチンコ球は、この永久磁石の磁力が及ぶことにより、この循環軌跡Ｌに沿って滑動するようなる。そして、この循環軌跡Ｌに沿って滑動中のパチンコ球は、ステージ１０４に立設された剥離壁１０７に衝突することにより、その永久磁石の磁力から解放され、ステージ１０４の左端から落下して、中央通路１０５を流下し、中央出口１０６から放出されることになる。
【００１３】
次に、その永久磁石を複雑な循環軌跡Ｌに沿って周回させる磁石循環周回機構について説明する。図１は、磁石循環周回機構１をステージ１０４の下側から見た分解斜視図である。また、図２は、磁石循環周回機構１の断面図である。また、図３は、磁石循環周回機構１をステージ１０４の上側から見た分解斜視図である。
【００１４】
図１〜図３に示すように、磁石循環周回機構１は、剥離壁１０７をその上面に立設したステージ１０４と、そのステージ１０４の下側に取り付けられた溝板１１と、その溝板１１に取り付けられるケース２１と、そのケースに固定されたモータ３１と、そのモータ３１の駆動軸３２に嵌め込まれたスライダーリンク４１と、そのスライダーリンク４１のスライダー溝４２に沿って移動する永久磁石４３などから構成される。
【００１５】
そして、永久磁石４３は、図４の分解斜視図に示すように、ピン４５が突設されたホルダー４６に埋設されており、このピン４５がスライダー溝４２を摺動することにより、スライダー溝４２に沿って移動することができる。
【００１６】
また、図１〜図３に示すように、ステージ１０４の下側には平面凸部１１１が設けられるとともに、溝板１１には開口部１２が設けられており、その溝板１１がステージ１０４の下側に取り付けられた際には、上記循環軌跡Ｌと同様な形状をした閉ループ状の溝部５１が形成される。
【００１７】
そして、この閉ループ状の溝部５１には、スライダーリンク４１のスライダー溝４２に沿って移動可能な永久磁石４３が遊嵌される。このとき、図６に示すように、閉ループ状の溝部５１に対して、スライダーリンク４１の回転中心（すなわち、ここでは、モータ３１の駆動軸３２）の位置を原点Oとし、永久磁石４３の移動位置を座標Ｐとし、この原点Ｏと座標Ｐとで回転角θを定義すると、永久磁石４３の移動位置である座標Ｐが溝部５１を反時計回りに一周する場合には、回転角θは０〜３６０度まで増加し続ける関係にある。従って、モータ３１が駆動すれば、図５に示すように、永久磁石４３は、スライダーリンク４１を介して、溝部５１をスムーズに周回できるので、溝部５１と同様な形状をした複雑な循環軌跡Ｌに沿って周回することになる。
【００１８】
以上詳細に説明したように、本実施の形態のパチンコ機では、閉ループ状の溝部５１が複雑なものであっても、モータ３１の駆動によるスライダーリンク４１の回転運動の際に、スライダーリンク４１のスライダー溝４２に案内されながら溝部５１を摺動する永久磁石４３の回転角θが回転方向に増加し続ける関係にあり、ステージ１０４下で永久磁石４３が溝部５１を周回移動するので、永久磁力４３によりステージ１０４上を移動するパチンコ球の移動軌跡を容易に複雑にすることができる。
【００１９】
尚、本発明は上記実施の形態に限定されるものでなく、その趣旨を逸脱しない範囲で様々な変更が可能である。
例えば、本実施の形態のパチンコ機では、モータ３１をスライダーリンク４１に直結させることにより、モータ３１の駆動力をスライダーリンク４１に伝達させている。この点、モータ３１とスライダーリンク４１の間にフレキシブルケーブルを介在させることにより、モータ３１の駆動力をスライダーリンク４１に伝達させてもよく、この場合には、スライダーリンク４１の真下にモータ３１を配設する必要がなくなることから、スライダーリンク４１の周辺スペースが狭くても、モータ３１の駆動力をスライダーリンク４１に伝達させることができる。
【００２０】
具体的には、例えば、図８に示すようにして、モータ３１の駆動軸３２に嵌め込まれた歯車２０１と、その歯車２０１に歯合する歯車２０２と、その歯車２０２と一端が接続されたフレキシブルケーブル２０３と、そのフレキシブルケーブル２０３の他端に接続されたジョイント２０４と、そのジョイント２０４に接続されたモータ２０５などにより、モータ２０５の駆動力をスライダーリンク４１に伝達させる機構を構築する。このようにすれば、スライダーリンク４１の真下にモータ２０５を配設する必要がなくなることから、スライダーリンク４１の周辺スペースが狭くても、モータ２０５の駆動力をスライダーリンク４１に伝達させることができる。
【産業上の利用可能性】
【００２１】
本発明は、ステージ上のパチンコ球を磁力で移動させる機構に適用しうる。
【図面の簡単な説明】
【００２２】
【図１】本実施の形態のパチンコ機の中央役物で使用される磁石循環周回機構をステージの下側から見た分解斜視図である。
【図２】本実施の形態のパチンコ機の中央役物で使用される磁石循環周回機構の断面図である。
【図３】本実施の形態のパチンコ機の中央役物で使用される磁石循環周回機構をステージの上側から見た分解斜視図である。
【図４】本実施の形態のパチンコ機の中央役物で使用される磁石循環周回機構において、永久磁石の保持機構を示した分解斜視図である。
【図５】本実施の形態のパチンコ機の中央役物で使用される磁石循環周回機構において、永久磁石の循環軌跡を示した図である。
【図６】本実施の形態のパチンコ機の中央役物で使用される磁石循環周回機構において、スライダーリンクの回転中心と永久磁石の位置関係で定義される回転角を示した図である。
【図７】本実施の形態のパチンコ機で使用される中央役物の三面図である。
【図８】本実施の形態のパチンコ機の中央役物で使用される磁石循環周回機構の断面図である。
【符号の説明】
【００２３】
１１  溝板
３１  モータ
４１  スライダーリンク
４２  スライダー溝
４３  永久磁石
５１  溝部
１０４  ステージ
１０７  剥離壁
Ｌ  循環軌跡
θ  回転角
【図１】
2005334493.tif 000003
【図２】
2005334493.tif 000004
【図３】
2005334493.tif 000005
【図４】
2005334493.tif 000006
【図５】
2005334493.tif 000007
【図６】
2005334493.tif 000008
【図７】
2005334493.tif 000009
【図８】
2005334493.tif 000010